(57)【要約】【課題】床面上で自立してファンを適度な高さで掲げたり、上下方向への風向き角度を変更したりできる折り畳み式の扇風機を提供する。【解決手段】扇風機１は、平板状のケース２１と、ケース２１の内部に収容された電動機と、その電動機により駆動される軸流型の羽根車とを有するファン部２と、床面上に載置される平板状のベース部３と、ケース２１の左右両側にて回動可能に取り付けられるとともに、ベース部３の左右両側にて揺動自在に支持された一対のアーム４１を有するフレーム部４とを備え、ベース部３から一対のアーム４１が立ち上がってファン部２を掲げる自立姿勢と、一対のアーム４１とケース２１とがベース部３と平行になり全体として平板状をなす折り畳み姿勢との間で変形可能に構成されている。【選択図】図１
0003191871.tif 000002
【実用新案登録請求の範囲】
【請求項１】
平板状のケースと、前記ケースの内部に収容された電動機と、その電動機により駆動される軸流型の羽根車とを有するファン部と、
床面上に載置される平板状のベース部と、
前記ケースの左右両側にて回動可能に取り付けられるとともに、前記ベース部の左右両側にて揺動自在に支持された一対のアームを有するフレーム部とを備え、
前記ベース部から前記一対のアームが立ち上がって前記ファン部を掲げる自立姿勢と、前記一対のアームと前記ケースとが前記ベース部と平行になり全体として平板状をなす折り畳み姿勢との間で変形可能に構成されている扇風機。
【請求項２】
前記フレーム部が、前記一対のアームと、それらの端部同士を連ねて前記ファン部の上方に位置するグリップとによりＵ字状をなし、折り畳み姿勢における前記グリップと前記ケースとの間に間隙が形成される請求項１に記載の扇風機。
【請求項３】
前記一対のアームが伸縮自在に構成され、それらを最も縮めたときの折り畳み姿勢にて前記ケースと前記ベース部とが互いに干渉せずに隣接する請求項１または２に記載の扇風機。
【請求項４】
折り畳み姿勢における前記ケースと前記ベース部とが、前記アームの長手方向に沿った前記フレーム部の長さの範囲内に収まる請求項１〜３のいずれか１項に記載の扇風機。
【請求項５】
前記ベース部が、前記一対のアームが取り付けられたベース本体と、前記ベース本体の底面に取り付けられて前記ベース本体を回動自在に支持する底板と、前記ベース本体を駆動する電動機とを有する請求項１〜４のいずれか１項に記載の扇風機。
【考案の詳細な説明】
【技術分野】
【０００１】
本考案は、リビング扇風機として有用な折り畳み式の扇風機に関する。
【背景技術】
【０００２】
特許文献１，２には、不使用時にコンパクトに折り畳むことができる扇風機が開示されている。しかし、これらの扇風機は、携帯用または車内用の小型扇風機として使用されるものであり、リビング扇風機の用途に適したものではなかった。即ち、リビング扇風機には、床面上で自立してファンを適度な高さで掲げたり、上下方向への風向き角度を変更したりできることが望まれるが、上述した従来の折り畳み式の扇風機は、そのような構成を具備しうるものではなかった。
【先行技術文献】
【特許文献】
【０００３】
【特許文献１】特開平５−１９５９６号公報
【特許文献２】特開昭６１−１６０２９８号公報
【考案の概要】
【考案が解決しようとする課題】
【０００４】
本考案は、上記実情に鑑みてなされたものであり、その目的は、床面上で自立してファンを適度な高さで掲げたり、上下方向への風向き角度を変更したりできる折り畳み式の扇風機を提供することにある。
【課題を解決するための手段】
【０００５】
上記目的を達成するために、本考案に係る扇風機は、平板状のケースと、前記ケースの内部に収容された電動機と、その電動機により駆動される軸流型の羽根車とを有するファン部と、床面上に載置される平板状のベース部と、前記ケースの左右両側にて回動可能に取り付けられるとともに、前記ベース部の左右両側にて揺動自在に支持された一対のアームを有するフレーム部とを備え、前記ベース部から前記一対のアームが立ち上がって前記ファン部を掲げる自立姿勢と、前記一対のアームと前記ケースとが前記ベース部と平行になり全体として平板状をなす折り畳み姿勢との間で変形可能に構成されているものである。
【０００６】
この扇風機は、使用時において、床面上に載置されたベース部からアームが立ち上がった自立姿勢とされ、そのアームによって掲げられたファン部の羽根車の回転により風を発生させることができる。その際、ベース部に対するアームの揺動を調節することにより、床面から適度な高さにファン部を配置でき、アームに対するケースの回動を調節することにより、上下方向への風向き角度を変更できる。また、不使用時には、全体として平板状をなす折り畳み姿勢とされ、それにより収納や持ち運びが簡単になる。
【０００７】
本考案の好適な適用例として、前記フレーム部が、前記一対のアームと、それらの端部同士を連ねて前記ファン部の上方に位置するグリップとによりＵ字状をなし、折り畳み姿勢における前記グリップと前記ケースとの間に間隙が形成されるものが挙げられる。かかる構成によれば、グリップを把持して扇風機を持ち運びできることから、特に折り畳み姿勢での取り扱いが容易になる。
【０００８】
本考案の好適な適用例として、前記一対のアームが伸縮自在に構成され、それらを最も縮めたときの折り畳み姿勢にて前記ケースと前記ベース部とが互いに干渉せずに隣接するものが挙げられる。かかる構成によれば、自立姿勢におけるファン部の高さ調整に資するとともに、折り畳み姿勢がコンパクトになって好ましい。
【０００９】
本考案の好適な適用例として、折り畳み姿勢における前記ケースと前記ベース部とが、前記アームの長手方向に沿った前記フレーム部の長さの範囲内に収まるものが挙げられる。かかる構成によれば、折り畳み姿勢がコンパクトになって好ましい。
【００１０】
本考案の好適な適用例として、前記ベース部が、前記一対のアームが取り付けられたベース本体と、前記ベース本体の底面に取り付けられて前記ベース本体を回動自在に支持する底板と、前記ベース本体を駆動する電動機とを有するものが挙げられる。かかる構成によれば、底板の上でベース本体を回動させることにより、扇風機の首振りを実現できる。
【図面の簡単な説明】
【００１１】
【図１】本考案に係る扇風機の一例を示す斜視図
【図２】扇風機の正面図
【図３】扇風機の側面図
【図４】その扇風機の縦断面図
【図５】折り畳み姿勢における扇風機の正面図
【図６】折り畳み姿勢における扇風機の側面図
【図７】アームの傾きを変えた扇風機の側面図
【考案を実施するための形態】
【００１２】
以下、本考案に係る扇風機の実施形態について、図面を参照しながら説明する。
【００１３】
図１〜３は、リビング扇風機として使用可能な折り畳み式の扇風機１を示す。図４は、図２の中央で切断した扇風機１を図３と同じ側（図２の右側）から見た縦断面図である。扇風機１は、風を発生させるファン部２と、床面上に載置される平板状のベース部３と、それらを繋ぐフレーム部４とを備える。後述するように、この扇風機１は、使用時に資する自立姿勢（図１〜３参照）と、不使用時に資する折り畳み姿勢（図５，６参照）との間で変形可能に構成されている。
【００１４】
特に断りを入れない限り、説明における「上下方向」や「左右方向」は、自立姿勢で使用に供した扇風機１の正面にいる使用者から見た方向、即ち図２のような正面視における方向を基準とする。また、「前方」は、扇風機１からその使用者に向かう方向を指し、「後方」はその反対方向を指す。したがって、図３における左方向が「前方」となり、同じく右方向が「後方」となる。
【００１５】
ファン部２は、平板状のケース２１と、ケース２１の内部に収容された電動機２２と、その電動機２２により駆動される軸流型の羽根車２３とを有する。ケース２１は、後方に位置する後ケース部材２１ａと、前方に位置する前ケース部材２１ｂとにより構成され、それらを嵌め合わせることで平板上の筐体を形成する。後ケース部材２１ａと前ケース部材２１ｂには、それぞれ空気の吸い込みと吐き出しを行うための格子窓が形成されている。ケース２１や羽根車２３は、例えば樹脂により形成される。
【００１６】
ケース２１の正面（前方の面）と背面（後方の面）は全体的に平坦であり、ファン部２は薄型に構成されている。ケース２１は、図２の正面視において、左右両側で上下方向に直線状に延びる側面と、左右方向に直線状に延びる上面と、下方に凸となる円弧状に延びる下面とを有したＤ字状を呈する。但し、ケース２１の形状は、これに限定されるものではなく、単純な矩形や円形など他の形状を適宜に採用することができる。
【００１７】
電動機２２は、後ケース部材２１ａに取り付けられており、前方に向けて突出させた回転軸に羽根車２３が連結されている。回転軸を含めた電動機２２の厚みはケース２１の厚みよりも小さく、電動機２２と、その電動機２２により回転可能に軸支された羽根車２３とが、ケース２１の内部に収められている。電動機２２は、例えば直流モータにより構成される。本実施形態の羽根車２３は７枚の羽根を有しているが、羽根の枚数は適宜に変更できる。
【００１８】
フレーム部４は、互いに平行に延びる一対のアーム４１を有する。一対のアーム４１は、ケース２１の左右両側にて回動可能に取り付けられるとともに、ベース部３の左右両側にて揺動自在に支持されている。本実施形態では、ケース２１（後ケース部材２１ａ）の上下方向の中央部にてアーム４１が取り付けられている。また、ベース部３（ベース本体３１）の側面の前方にてアーム４１の端部が支持されており、アーム４１の揺動の支点はベース部３の側面の前方に設定されている。
【００１９】
アーム４１とケース２１との取付部分には、それらの相対的な回動操作が可能である限り、従来公知の機構を特に制約なく採用できるが、一方の部材が有する軸を他方の部材に設けられた軸受で支持する軸支構造が簡易で好ましい。また、操作時にクリック感（節度感）を発生させるクリック機構や、運動に制動力を作用させるダンパ（ロータリーダンパや揺動ダンパなど）を内蔵する機構も適宜に採用できる。これらと併用して、所定の角度を超えた回動を阻止するストッパを内蔵する機構を設けることも有効である。
【００２０】
アーム４１とベース部３との取付部分にも、それらの相対的な揺動操作が可能である限り、従来公知の機構を特に制約なく採用でき、やはり軸支構造が好ましい。また、上記と同様に、クリック機構やダンパを内蔵する機構を採用できるうえ、ストッパを内蔵する機構を併用することができる。クリック機構としては、例えば登録実用新案公報第３１５０９３６号公報に開示される構造を採用できるが、これに限られるものではない。
【００２１】
好適な適用例としては、アーム４１とケース２１との取付部分にクリック機構を採用し、アーム４１とベース部３との取付部分にダンパを内蔵する機構を採用した構造が挙げられる。この場合、アーム４１に対するケース２１の傾きを調節する際にクリック感が得られるため、上下方向への風向き角度を変更するときの操作性に優れる。また、ベース部３に対するアーム４１の揺動に制動力が作用するため、軽い力ではアーム４１の傾きが変化せず、全体的な姿勢が安定する。
【００２２】
扇風機１は、図１〜３のようにベース部３から一対のアーム４１が立ち上がってファン部２を掲げる自立姿勢と、図５，６のように一対のアーム４１とケース２１とがベース部３と平行になり全体として平板状をなす折り畳み姿勢との間で変形可能に構成されている。この変形は、アーム４１に対するケース２１の回動を調節し、ベース部３に対するアーム４１の揺動を調節することによって操作できる。図７は、図３の状態からアーム４１を後方に傾けるとともに、そのアーム４１に対してファン部２を少し傾けた状態を示す。
【００２３】
自立姿勢では、ファン部２が床面から離れて掲げられた状態となる。アーム４１の揺動を調節することで、床面から適度な高さにファン部２を配置することが可能であり、図７では図３よりも低い位置にファン部２が配置されている。また、アーム４１の揺動だけでなく、ケース２１の回動を調節することで、上下方向への風向き角度を変更できる。このため、扇風機１は、リビング扇風機として使用するうえで有用である。一方、折り畳み姿勢では、パイプ椅子のように折り畳まれるので持ち運びが容易であり、保管スペースが少なくて済む。
【００２４】
図５，６は折り畳んだ扇風機１を立てた状態で描いているが、本実施形態では折り畳み姿勢で自立する構造を有していないため、実際には壁に立て掛けたり床面上に横たえたりすることになる。この折り畳み姿勢では、ケース２１とベース部３とが、互いに干渉せずにアーム４１の長手方向に沿って隣接し、そのアーム４１の長手方向に沿ったフレーム部４の長さの範囲内に収まっている。全体としては、一対のアーム４１と棒状のグリップ４２とベース部３の前方面とからなる四辺を持つ矩形の平板状を呈し、外観上の一体感を醸している。
【００２５】
図３では、鉛直方向に対してアーム４１が僅かに後方に傾いている。このアーム４１を鉛直方向となるように立ち上げることもできるが、それを超えて前方に傾ける必要性には乏しい。したがって、床面上にベース部３を載置した状態において、水平方向に対するアーム４１の角度θは、自立姿勢では最大で９０度あれば十分であるが、９０度未満であってもよく、折り畳み姿勢では０度となる（図６参照）。
【００２６】
フレーム部４は、前述した一対のアーム４１と、それらの端部同士を連ねてファン部２の上方に位置するグリップ４２とによりＵ字状を呈している。自立姿勢のみならず、折り畳み姿勢におけるグリップ４２とケース２１との間には間隙４３が形成され、そこに指を挿入してグリップ４２を把持できる。これにより、フレーム部４の上方部分を取っ手にして扇風機１を持ち運ぶことができ、特に折り畳み姿勢での取り扱いが容易になる。
【００２７】
本実施形態では一対のアーム４１が伸縮自在に構成されており、図１〜３はアーム４１を最も伸ばした状態にある。また、図５，６はアーム４１を最も縮めた状態にあり、かかる折り畳み姿勢においてもケース２１とベース部３とは互いに干渉せずに隣接する。アーム４１は、テレスコピック型の伸縮ロッドにより構成され、複数段階での長さ調整が可能である。かかる構成によれば、自立姿勢におけるファン部２の高さ調整に資するとともに、折り畳み姿勢がコンパクトになって好ましい。
【００２８】
アーム４１の内部には不図示のロック機構が設けられており、最も伸ばした状態と最も縮めた状態とでアーム４１の伸縮がロックされる構造となっている。ロックされた状態は、グリップ４２に設けられたボタン４４を押すことにより解除される。このようなテレスコピック型の伸縮ロッドにおけるロック機構は従来公知であり、キャリーバッグのハンドルなどに適用されている（一例として特開２０１０−７５３２８号公報を参照）。
【００２９】
ベース部３は、一対のアーム４１が取り付けられたベース本体３１と、そのベース本体３１の底面に取り付けられてベース本体３１を回動自在に支持する底板３２と、ベース本体３１を駆動する電動機３３とを有する。ベース本体３１は、底板３２の上で回動し、具体的には電動機３３の回転軸周りに所定の角度範囲で回動し、これにより扇風機１の首振り機能が実現される。ベース本体３１は、床面上に載置した状態での平面視において、ケース２１と同様なＤ字状を呈しており、意匠的にまとまりあるものになっている。
【００３０】
ベース部３の上面には、各種の操作を行うための操作部３４が設けられている。この操作には、電源オン・オフの切り替えや、風量の調節、タイマーの設定、首振りの切り替え、送風モードの切り替えなどが含まれるが、これらに限定されない。送風モードには、例えば連続風やリズム風、おやすみ風（時間の経過とともに風量が減少）などが挙げられる。不図示のリモコンによる操作も可能であり、そのための受光部３５がベース部３に設けられている。電動機の動作などを制御する制御回路は、ベース部３に内蔵されている。
【００３１】
ベース部３の後方面には、電源コードを接続するためのジャックが設けられており、電動機２２や電動機３３への給電が行われる。送風用の電動機２２に給電するための配線コードは、ベース部３から何れか一方のアーム４１の内部を通り、そのアーム４１とケース２１との取付部分を経由して、後ケース部材２１ａに形成されたスポーク２４に沿って電動機２２に到達する。配線コードを保護するための被覆カバーをスポーク２４に取り付けておくことで、羽根車２３の羽根が配線コードに干渉することを防止できる。
【００３２】
本考案は上述した実施形態に何ら限定されるものではなく、本考案の趣旨を逸脱しない範囲内で種々の改良変更が可能である。
【符号の説明】
【００３３】
１      扇風機
２      ファン部
３      ベース部
４      フレーム部
２１    ケース
２２    電動機
２３    羽根車
３１    ベース本体
３２    底板
３３    電動機
４１    アーム
４２    グリップ
４３    間隙
【図１】
0003191871.tif 000003
【図２】
0003191871.tif 000004
【図３】
0003191871.tif 000005
【図４】
0003191871.tif 000006
【図５】
0003191871.tif 000007
【図６】
0003191871.tif 000008
【図７】
0003191871.tif 000009